(57)【要約】【課題】ロッカスイッチの防水性及び防塵性を向上させるとともに、ロッカスイッチをコンパクト化させることができる手法を提供すること。【解決手段】ロッカスイッチ１の製造に用いられる、ロッカスイッチ１のハウジング１１に対する転換子２１の嵌着方法において、ステップＳ１の嵌着工程では、転換子２１の先端部にＯリング１２を嵌着させる。ステップＳ２の挿通工程では、ハウジング１１の開口部Ｈに転換子２１の先端部を挿通させる。ステップＳ３の回転圧接工程では、転換子２１とハウジング１１とのうちいずれか一方に設けられたスロープに他方を摺動させながら転換子２１を回転させることで、開口部Ｈの縁に嵌着されたＯリング１２の内縁に転換子２１を圧接させる。ステップＳ４の係止工程では、ハウジング１１のフック部１１３に転換子２１のフック部２１１を係止させる。これにより、上記課題を解決する。【選択図】図１
2020057468.tif 000002
【特許請求の範囲】
【請求項１】
ロッカスイッチの製造に用いられる、前記ロッカスイッチのハウジングに対する転換子の嵌着方法において、
前記転換子の先端部にシール部材を嵌着させる嵌着工程と、
前記ハウジングの開口部に前記転換子の先端部を挿通させる挿通工程と、
前記転換子と前記ハウジングとのうちいずれか一方に設けられたスロープに他方を摺動させながら前記転換子を前記ハウジングに対して相対的に回転させることで、前記嵌着されたシール部材を前記開口部の縁と前記転換子との間で挟持して圧接させる回転圧接工程と、
前記ハウジングの一部に前記転換子の一部を係止させる係止工程と、
をその順で含む、ロッカスイッチのハウジングに対する転換子の嵌着方法。
【請求項２】
前記回転圧接工程において、前記転換子を前記ハウジングに対して相対的に９０度回転させることを特徴とする請求項１に記載のロッカスイッチのハウジングに対する転換子の嵌着方法。
【請求項３】
ハウジングと、前記ハウジングの開口部に挿通される転換子と、前記転換子の先端部に嵌着されたシール部材とを備えるロッカスイッチのハウジングに対する転換子の嵌着構造において、
前記転換子または前記ハウジングが、いずれか一方に前記挿通の方向に高低差を有するスロープを、いずれか他方に前記スロープに沿って摺動する摺動する摺動部をそれぞれ備えるものであり、
前記摺動部が前記スロープ上を摺動させながら前記転換子を前記ハウジングに対して相対的に回転させることにより、前記嵌着されたシール部材を前記開口部の縁と前記転換子との間で挟持して圧接させることを特徴とする嵌着構造。
【請求項４】
前記スロープが前記ハウジング側に、前記摺動部が前記転換子側にそれぞれ設けられている、
請求項３に記載の、ロッカスイッチのハウジングに対する転換子の嵌着構造。
【請求項５】
前記スロープが前記転換子側に、前記摺動部が前記ハウジング側にそれぞれ設けられている、
請求項３に記載の、ロッカスイッチのハウジングに対する転換子の嵌着構造。
【発明の詳細な説明】
【技術分野】
【０００１】
本発明は、ロッカスイッチのハウジングに対する転換子の嵌着方法及び嵌着構造に関する。
【背景技術】
【０００２】
操作ボタンの両端をシーソーのように交互に押下することで電気回路の接続状態と遮断状態との切り替えを行うスイッチは、ロッカスイッチとも呼ばれ、屋内外を問わず多く利用されている。このため、屋外で利用されるロッカスイッチには防水性及び防塵性が求められる。
ロッカスイッチの防水性及び防塵性を確保するための手法としては、従来よりゴム製のＯリングで隙間を埋める手法が用いられている（特許文献１）。具体的には例えば、図７（Ａ）及び（Ｂ）に示すように、転換子２１ｃの先端部が、ハウジング１１Ｃの開口部Ｈから外側に出るように嵌着されるが、開口部Ｈの縁においてＯリング１２ｃが挟持されているため、ロッカスイッチの内部に水や埃が浸入することを防ぐことができる。
【先行技術文献】
【特許文献】
【０００３】
【特許文献１】特開２００８−９１０６８号公報
【発明の概要】
【発明が解決しようとする課題】
【０００４】
従来よりハウジングに転換子を嵌着させるための手法として、スナップフィット構造が用いられている。スナップフィット構造とは、２つの部材を嵌着させる際に、部材の弾性を利用して嵌着させる構造をいう。
具体的には、図７（Ａ）及び（Ｂ）に示す転換子２１ｃは、先端部に設けられた切れ目Ｃを利用して、先端部の径が短くなるように撓ませながらハウジング１１ｃの開口部Ｈｃに挿通させる。そして、転換子２１Ｃのフック部２１１ｃが開口部Ｈｃを通過すると、転換子２１ｃの先端部の形状が元の形状に戻るとともに、転換子２１ｃのフック部２１１ｃがハウジング１１ｃのフック部１１１ｃに引っ掛かる。これにより、ハウジング１１ｃに転換子２１ｃを嵌着させることができる。
【０００５】
しかしながら、転換子２１ｃの先端部を撓ませるためには、転換子２１ｃを強い力で押し込む必要がある。このため、転換子２１ｃのフック部２１１ｃがハウジング１１ｃの開口部Ｈｃを通過する際、開口部Ｈｃの縁に嵌着されたＯリング１２ｃに過度の荷重がかかる。このため、Ｏリング１２ｃは、荷重に耐えられず潰れたり、転換子２１ｃの同心から偏ったりするといった問題が生じていた。
【０００６】
また、ロッカスイッチは、用途によってコンパクト化の要請があるが、コンパクト化のためには転換子２１ｃの先端部の長さＤを短くしたり、転換子２１ｃのサイズを小さくしたりすることで短小化を図る必要があった。
一方で、転換子２１ｃの先端部は、上述したように荷重をかけて撓ませることで開口部Ｈｃを挿通させることが前提となる。このため、転換子２１ｃの先端部に対しては、少なくとも撓んだ時に破損しない程度の耐久性が求められる。
しかしながら、転換子２１ｃの先端部を短小化させると、荷重をかけて撓ませた際、荷重に耐えられず破損するリスクが高まる。また、撓ますだけの長さＤを確保する必要がある。このため、転換子２１ｃの先端部を短小化できないという問題があった。
【０００７】
本発明は、このような状況に鑑みてなされたものであり、ロッカスイッチの防水性及び防塵性を向上させるとともに、ロッカスイッチをコンパクト化させることができる手法を提供することを目的とする。
【課題を解決するための手段】
【０００８】
上記目的を達成するため、本発明に係る嵌着方法は、
ロッカスイッチの製造に用いられる、前記ロッカスイッチのハウジングに対する転換子の嵌着方法において、
前記転換子の先端部にシール部材を嵌着させる嵌着工程と、
前記ハウジングの開口部に前記転換子の先端部を挿通させる挿通工程と、
前記転換子と前記ハウジングとのうちいずれか一方に設けられたスロープに他方を摺動させながら前記転換子を前記ハウジングに対して相対的に回転させることで、前記嵌着されたシール部材を前記開口部の縁と前記転換子との間で挟持して圧接させる回転圧接工程と、
前記ハウジングの一部に前記転換子の一部を係止させる係止工程と、
をその順で含む。
【０００９】
この発明によれば、ハウジングの開口部の縁に嵌着されたシール部材に過度の荷重をかけることなく、容易にハウジングに転換子を嵌着させることができる。
その結果、シール部材に過度の荷重がかかって変形したり、シール部材が転換子の同心から偏って装着されたりして組み立て上の不具合が生じる、といった問題を防ぐことができるので、ロッカスイッチの防水性及び防塵性を向上させることができる。
また、転換子の先端部を撓ませることなく回転により嵌着させるので、転換子の先端部に対し、撓んだ時に破損しない程度の耐久性を求める必要性がなくなる。その結果、転換子の先端部の長さを短くしたり、転換子のサイズを小さくしたりすることで短小化させることができるので、ロッカスイッチをコンパクト化させることができる。
【００１０】
また、前記回転圧接工程において、前記転換子を前記ハウジングに対して相対的に９０度回転させることが好ましい。
【００１１】
また、本発明に係るロッカスイッチのハウジングに対する転換子の嵌着構造は、
ハウジングと、前記ハウジングの開口部に挿通される転換子と、前記転換子の先端部に嵌着されたシール部材とを備えるロッカスイッチのハウジングに対する転換子の嵌着構造において、
前記転換子または前記ハウジングが、いずれか一方に前記挿通の方向に高低差を有するスロープを、いずれか他方に前記スロープに沿って摺動する摺動する摺動部をそれぞれ備えるものであり、
前記摺動部が前記スロープ上を摺動させながら前記転換子を前記ハウジングに対して相対的に回転させることにより、前記嵌着されたシール部材を前記開口部の縁と前記転換子との間で挟持して圧接させることが好ましい。
【００１２】
また、前記スロープが前記ハウジング側に、前記摺動部が前記転換子側にそれぞれ設けられていることが好ましい。
この発明によれば、転換子よりも部材としてのサイズが大きいハウジング側にスロープを設ける加工を施すことになるので、転換子側にスロープを設けるよりも加工が容易となる。
【００１３】
また、前記スロープが前記転換子側に、前記摺動部が前記ハウジング側にそれぞれ設けられていることが好ましい。
この発明によれば、ハウジング側にスロープを設ける加工を施すことなく、転換子側にスロープを設けることで発明の効果を得ることができる。
【発明の効果】
【００１４】
この発明によれば、ロッカスイッチの防水性及び防塵性を向上させるとともに、ロッカスイッチをコンパクト化させることができる手法を提供することが可能となる。
【図面の簡単な説明】
【００１５】
【図１】本発明の第１実施形態に係る嵌着方法の流れを示す図である。
【図２】図１のハウジングの開口部に嵌着されているシール部材の一例であるＯリングの位置を示す拡大断面図である。
【図３】転換子がハウジングに嵌着されるまでの両者の関係を示す図である。図３（Ａ）は、開口部に転換子を挿通させる直前の状態を示している。図３（Ｂ）は、挿通された転換子が係止された状態を示している。図３（Ｃ）は、転換子が回転している様子を示している。図３（Ｄ）は、転換子がハウジングに嵌着された状態を示している。
【図４】ロッカスイッチの断面正面図である。
【図５】本発明の第２実施形態に係る嵌着方法の対象となる転換子及びハウジングのそれぞれの構成を示す図である。図５（Ａ）は、転換子の構成を示す外観斜視図である。図５（Ｂ）は、ハウジングの構成を示す断面斜視図である。
【図６】転換子がハウジングに嵌着されるまでの両者の関係を示す図である。図６（Ａ）は、開口部に転換子を挿通させる直前の状態を示している。図６（Ｂ）は、挿通された転換子が係止された状態を示している。図６（Ｃ）は、転換子が回転している様子を示している。図６（Ｄ）は、転換子がハウジングに嵌着された状態を示している。
【図７】従来からあるロッカスイッチの構成を示す図である。図７（Ａ）は、従来からあるロッカスイッチの断面正面図である。図７（Ｂ）は、従来からあるロッカスイッチの拡大斜視図である。
【発明を実施するための形態】
【００１６】
本発明の一実施形態に係る、ロッカスイッチのハウジングに対する転換子の嵌着方法について、図面を参照しつつ説明する。なお、本発明は下記の実施形態に限定されるものではない。
【００１７】
［第１実施形態］
本発明の第１実施形態に係る、ロッカスイッチのハウジングに対する転換子の嵌着方法は、図１及び図３に示すように、転換子２１の先端部にＯリング１２を嵌着させる嵌着工程（ステップＳ１）と、ハウジング１１の開口部Ｈに、転換子２１の先端部を挿通させる挿通工程（ステップＳ２）と、ハウジング１１のガイドリブ１１１に設けられたスロープに転換子２１を摺動させながら回転させることで、開口部Ｈの縁に嵌着されたＯリング１２の内縁に転換子２１を圧接させる回転固定工程（ステップＳ３）と、ハウジング１１のフック部１１３に転換子２１のフック部２１１を係止させる係止工程（ステップＳ４）と、をその順で含む、ロッカスイッチのハウジングに対する転換子の嵌着方法である。
【００１８】
なお、上述の嵌着方法を用いてハウジング１１に嵌着された転換子２１に対し、図４に示すボタン３１を取り付けることにより、ロッカスイッチ１（図４）を完成させることができる。
【００１９】
本発明の第１実施形態に係る、ロッカスイッチのハウジングに対する転換子の嵌着方法では、嵌着工程において、転換子２１の先端部にＯリング１２を嵌着させる。これにより、ロッカスイッチ１に防水性及び防塵性を持たせることができる。
また、挿通工程において、ハウジング１１の開口部Ｈに転換子２１の先端部を挿通させる。これにより、ボタン３１を取り付ける正規の位置に転換子２１の先端部を配置することができる。
また、回転固定工程において、ハウジング１１のガイドリブ１１１に設けられたスロープに転換子２１を摺動させながら回転させることで、開口部Ｈの縁に嵌着されたＯリング１２の内縁に転換子２１を圧接させる。これにより、Ｏリング１２に過度の荷重をかけることなく容易にＯリング１２に転換子２１を圧接することができる。
また、係止工程において、ハウジング１１のフック部１１３に転換子２１のフック部２１１を係止させる。これにより、容易にハウジング１１に転換子２１を嵌着させることができる。
【００２０】
以下、各構成要素について詳しく説明する。
【００２１】
（嵌着工程）
嵌着工程は、転換子の先端部にシール部材を嵌着させる工程である。
具体的には、嵌着工程は、転換子２１の先端部にＯリング１２を嵌着させる工程である。
これにより、防水性及び防塵性を持たせることができる。
【００２２】
（挿通工程）
挿通工程は、ハウジングの開口部に転換子の一部を挿通させる工程である。
具体的には、挿通工程は、ハウジング１１の開口部Ｈに、転換子２１の先端部を挿通する。ハウジング１１の開口部Ｈに転換子２１の先端部が挿通されると、ハウジング１１のガイドリブ１１１が転換子２１の摺動部２１２を係止する工程である。
これにより、ボタン３１を取り付ける正規の位置に転換子２１の先端部を配置することができる。
【００２３】
（回転固定工程）
回転固定工程は、転換子とハウジングとのうちいずれか一方に設けられたスロープに他方を摺動させながら転換子をハウジングに対して相対的に回転させることで、嵌着されたシール部材を開口部の縁と転換子との間で挟持して圧接させる工程である。
具体的には、第１実施形態における回転固定工程は、ハウジング１１のガイドリブ１１１に設けられたスロープに転換子２１を摺動させながらハウジング１１に対して相対的に回転させることで、嵌着されたＯリング１２を開口部Ｈの縁と転換子２１との間で挟持して圧接させる工程である。
転換子２１をハウジング１１に対して相対的に回転させると、図３（Ｃ）及び（Ｄ）に示すように、転換子２１の摺動部２１２は、ハウジング１１のガイドリブ１１１に設けられたスロープ上を摺動し、転換子２１が徐々に上昇する。そして、開口部Ｈに挿通された転換子２１の回転角度が９０°又は略９０°に達すると、転換子２１の圧接部２１３がＯリング１２に圧接される。
これにより、防水性及び防塵性を確保することができる。
【００２４】
（係止工程）
係止工程は、ハウジングの一部に転換子の一部を係止させる工程である。
具体的には、係止工程は、ハウジング１１のフック部１１３に転換子２１のフック部２１１を係止させる工程である。
このとき、Ｏリング１２は、防水性及び防塵性を確保するために最適となる潰し量で変形した状態となる。
これにより、Ｏリング１２に過度の荷重をかけることなく容易にＯリング１２に転換子２１を圧接することができる。
【００２５】
以上の工程を経ることにより、Ｏリング１２に過度の荷重をかけることなく容易にハウジング１１に転換子２１を嵌着させることができる。つまり、図７（Ａ）及び（Ｂ）に示す従来の転換子２１ｃのように、フック部２１１ｃを介してＯリング１２ｃに荷重をかけながらハウジング１１ｃの開口部Ｈｃを挿通させる必要性がなくなる。
これにより、Ｏリング１２に過度の荷重がかかって変形したり、Ｏリング１２が転換子の同心から偏って装着されたりして組み立て上の不具合が生じることを防ぐことができる。その結果、ロッカスイッチ１の防水性及び防塵性を向上させることができる。
また、転換子２１の先端部を撓ませることなく、回転により転換子２１を上昇させながら嵌着させるので、転換子２１の先端部に対し、撓んだ時に破損しない程度の耐久性を求める必要性がなくなる。その結果、転換子２１の先端部の長さＤを短くしたり、転換子２１のサイズを小さくしたりすることで短小化させることができるので、ロッカスイッチをコンパクト化させることができる。
【００２６】
［第２実施形態］
第１実施形態では、ガイドリブがハウジング側に設けられていたが、第２実施形態では、ガイドリブが転換子側に設けられている。
【００２７】
（嵌着工程）
本発明の第２実施形態における嵌着工程では、図５（Ｂ）に示すように、転換子２１の先端部にＯリング１２を嵌着させる。これにより、防水性及び防塵性を持たせることができる。
【００２８】
（挿通工程）
本発明の第２実施形態における挿通工程では、図５、図６（Ａ）及び（Ｂ）に示すように、ハウジング１１の開口部Ｈに、転換子２１の先端部を挿通する。ハウジング１１には、挿通された転換子２１のガイドリブ２１４を係止する係止片１１２が設けられている。これにより、開口部Ｈに先端部が挿通された転換子２１に対する過度の押し込みを防ぐことができるとともに、ボタン３１を取り付ける正規の位置に転換子２１の先端部を配置することができる。
【００２９】
（回転固定工程）
本発明の第２実施形態における回転固定工程は、転換子２１のガイドリブ２１４に設けられたスロープにハウジング１１の係止片１１２を摺動させながら転換子２１をハウジング１１に対して相対的に回転させることで、Ｏリング１２を開口部Ｈの縁と転換子２１との間で挟持して圧接させる工程である。
転換子２１を回転させると、図６（Ｃ）及び（Ｄ）に示すように、ハウジング１１の係止片１１２は、転換子２１のガイドリブ２１４に設けられたスロープに沿って摺動し、転換子２１が徐々に上昇する。そして、開口部Ｈに挿通された転換子２１の回転角度が９０°又は略９０°に達すると、転換子２１の圧接部２１３がＯリング１２に圧接される。
これにより、防水性及び防塵性を確保することができる。
【００３０】
（係止工程）
本発明の第２実施形態における係止工程は、ハウジング１１のフック部１１３に転換子２１のフック部２１１を係止させる工程である。
このとき、Ｏリング１２は、防水性及び防塵性を確保するために最適となる潰し量で変形した状態となる。
これにより、Ｏリング１２に過度の荷重をかけることなく容易にＯリング１２に転換子２１を圧接することができる。
【００３１】
以上の工程を経ることにより、第１実施形態と同様に、Ｏリング１２に過度の荷重がかかって変形したり、Ｏリングが転換子の同心から偏って装着されたりして組み立て上の不具合が生じることを防ぐことができる。このため、ロッカスイッチ１の防水性及び防塵性を向上させることができる。
また、転換子２１の先端部を撓ませることなく、回転により転換子２１を上昇させて嵌着させるので、転換子２１の先端部に対し、撓んだ時に破損しない程度の耐久性を求める必要性がなくなる。その結果、転換子２１の先端部の長さＤを短くしたり、転換子２１のサイズを小さくしたりすることで短小化させることができるので、ロッカスイッチをコンパクト化させることができる。
【００３２】
以上、本発明の一実施形態について説明したが、本発明は、上述の実施形態に限定されるものではなく、本発明の目的を達成できる範囲での変形、改良等は本発明に含まれるものである。また、本発明に係る要旨を逸脱しない範囲内であれば種々の変更を施してもよい。
【００３３】
以上まとめると、本発明が適用される、ロッカスイッチのハウジングに対する転換子の嵌着方法は、次のような構成を取れば足り、各種各様な実施形態を取ることができる。
すなわち、本発明が適用される、ロッカスイッチのハウジングに対する転換子の嵌着方法は、
ロッカスイッチ（例えば図４のロッカスイッチ１）の製造に用いられる、前記ロッカスイッチのハウジング（例えば図１のハウジング１１）に対する転換子（例えば図１の転換子２１）の嵌着方法において、
前記転換子の先端部にシール部材（例えば図３のＯリング１２）を嵌着させる嵌着工程（例えば図１のステップＳ１）と、
前記ハウジングの開口部（例えば図１の開口部Ｈ）に前記転換子の先端部を挿通させる挿通工程（例えば図１のステップＳ２）と、
前記転換子と前記ハウジングとのうちいずれか一方に設けられたスロープ（例えば図３のガイドリブ１１１に設けられたスロープ）に他方（例えば図３の転換子２１）を摺動させながら前記転換子を前記ハウジングに対して相対的に回転させることで、前記嵌着されたシール部材を前記開口部の縁と前記転換子の間で挟持して圧接させる回転圧接工程（例えば図１のステップＳ３）と、
前記ハウジングの一部（例えば図３のフック部１１３）に前記転換子の一部（例えば図３のフック部２１１）を係止させる係止工程（例えば図１のステップＳ４）と、
をその順で含む。
【００３４】
これにより、ハウジング１１の開口部Ｈの縁に嵌着されたＯリング１２に過度の荷重をかけることなく、容易にハウジング１１に転換子２１を嵌着させることができる。
その結果、Ｏリング１２に過度の荷重がかかって変形したり、Ｏリング１２が転換子２１の同心から偏って装着されたりして組み立て上の不具合が生じることを防ぐことができるので、ロッカスイッチ１の防水性及び防塵性を向上させることができる。
また、転換子２１の先端部を撓ませることなく回転により嵌着させるので、転換子２１の先端部に対し、撓んだ時に破損しない程度の耐久性を求める必要性がなくなる。その結果、転換子２１の先端部の長さを短くしたり、転換子２１のサイズを小さくしたりすることで短小化させることができるので、ロッカスイッチ１をコンパクト化させることができる。
【００３５】
また、前記回転圧接工程において、前記転換子を前記ハウジングに対して相対的に９０度回転させる、とすることができる。
【００３６】
また、本発明に係るロッカスイッチのハウジングに対する転換子の嵌着構造は、
ハウジングと、前記ハウジングの開口部に挿通される転換子と、前記転換子の先端部に嵌着されたシール部材とを備えるロッカスイッチのハウジングに対する転換子の嵌着構造において、
前記転換子または前記ハウジングが、いずれか一方に前記挿通の方向に高低差を有するスロープを、いずれか他方に前記スロープに沿って摺動する摺動する摺動部（例えば図３の摺動部２１２、図６の係止片１１２）をそれぞれ備えるものであり、
前記摺動部が前記スロープ上を摺動させながら前記転換子を前記ハウジングに対して相対的に回転させることにより、前記嵌着されたシール部材を前記開口部の縁と前記転換子との間で挟持して圧接させる、とすることができる。
【００３７】
また、前記回転圧接工程において、前記スロープ（例えば図３のガイドリブ１１１に設けられたスロープ）が前記ハウジング側に、前記摺動部（例えば図３の摺動部２１２）が前記転換子側にそれぞれ設けられている、とすることができる。
これにより、転換子２１よりも部材としてのサイズが大きいハウジング１１側にスロープを設ける加工を施すことになるので、転換子２１側にスロープを設けるよりも加工が容易となる。
【００３８】
また、前記回転圧接工程において、前記スロープ（例えば図６のガイドリブ２１４に設けられたスロープ）が前記転換子側に、前記摺動部（例えば図６の係止片１１２）が前記ハウジング側にそれぞれ設けられている、とすることができる。
これにより、ハウジング１１側にスロープを設ける加工を施すことなく、転換子２１側にスロープを設けることで発明の効果を得ることができる。
【符号の説明】
【００３９】
１：ロッカスイッチ、１１，１１ｃ：ハウジング、１２，１２ｃ：Ｏリング、２１，２１ｃ：転換子、３１：ボタン、１１１：ガイドリブ（ハウジング側）、１１２：係止片、１１３，１１３ｃ：フック部（ハウジング側）、２１１，２１１ｃ：フック部（転換子側）、２１２：摺動部、２１３：圧着部、２１４：ガイドリブ（転換子側）、Ｓ１〜Ｓ３：各ステップ
【図１】
2020057468.tif 000003
【図２】
2020057468.tif 000004
【図３】
2020057468.tif 000005
【図４】
2020057468.tif 000006
【図５】
2020057468.tif 000007
【図６】
2020057468.tif 000008
【図７】
2020057468.tif 000009